(57)【特許請求の範囲】
【請求項１】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備えるファクシミリ伝送機能を、その端末毎に登録した端末機能情報テーブルを記憶した端末機能情報テーブル記憶手段と、
着信検出時、上記端末機能情報テーブル記憶手段に記憶されたファクシミリ伝送機能の全てを、自端末が備えるファクシミリ伝送機能として相手端末に通知するファクシミリ伝送制御手段と、
そのときに受信した画情報を処理可能なファクシミリ伝送機能が自端末に備えられていない場合には、上記端末機能情報テーブルを参照してその画情報を処理可能なファクシミリ伝送機能を備えている他の端末を探し、その探し出した他の端末に対して、ローカルエリアネットワークを介し、その画情報を転送する一方、その画情報を受信した他の端末は、受信した画情報について、その画情報を処理可能なファクシミリ伝送機能を適用処理し、その処理結果を画情報の転送元の端末に、ローカルエリアネットワークを介して通知する制御手段を備えたことを特徴とするファクシミリ通信システム。
【請求項２】
前記ファクシミリ伝送機能は、少なくとも、画情報の解像度、または、画情報の符号化方式を含むことを特徴とする請求項１記載のファクシミリ通信システム。
【請求項３】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備える画像符号化機能を、その端末毎に登録した符号化機能情報テーブルを記憶した符号化機能情報テーブル記憶手段と、
上記ローカルエリアネットワークに接続された各端末が備える画像記録解像度を、その端末毎に登録した解像度情報テーブルを記憶した解像度情報テーブル記憶手段と、
着信検出時、上記符号化機能情報テーブル記憶手段に記憶された画像符号化機能の全て、および、上記解像度情報テーブル記憶手段に記憶された解像度の全てを、自端末が備えるファクシミリ伝送機能として相手端末に通知するファクシミリ伝送制御手段と、
そのときに受信した画情報の画像符号化機能および解像度が自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送し、その画情報を受信した他の端末は、受信した画情報を、対応する画像符号化機能を適用して元の画像データに復号化し、その画像データを転送元の端末に返送する一方、その画像データを受信した端末は、上記解像度情報テーブル記憶手段に記憶した解像度情報テーブルを参照して、その画像データと同じ画像記録解像度を備えた他の端末を探し、その探し出した他の端末に対して、ローカルエリアネットワークを介し、その画像データを転送する一方、その画像データを受信した他の端末は、受信した画像データを、対応する解像度の画像として記録出力する制御手段を備えたことを特徴とするファクシミリ通信システム。
【請求項４】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備える画像符号化機能を、その端末毎に登録した符号化機能情報テーブルを記憶した符号化機能情報テーブル記憶手段と、
上記ローカルエリアネットワークに接続された各端末が備える画像記録サイズを、その端末毎に登録した記録サイズ機能情報テーブルを記憶した記録サイズ機能情報テーブル記憶手段と、
着信検出時、上記符号化機能情報テーブル記憶手段に記憶された画像符号化機能の全て、および、上記記録サイズ機能情報テーブル記憶手段に記憶された画像記録サイズの全てを、自端末が備えるファクシミリ伝送機能として相手端末に通知するファクシミリ伝送制御手段と、
そのときに受信した画情報の画像符号化機能および画像記録サイズが自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送し、その画情報を受信した他の端末は、受信した画情報を、対応する画像符号化機能を適用して元の画像データに復号化し、その画像データを転送元の端末に返送する一方、その画像データを受信した端末は、上記記録サイズ機能情報テーブル記憶手段に記憶した記録サイズ機能情報テーブルを参照して、その画像データと同じ画像記録サイズを備えた他の端末を探し、その探し出した他の端末に対して、ローカルエリアネットワークを介し、その画像データを転送する一方、その画像データを受信した他の端末は、受信した画像データを、対応する記録サイズの画像として記録出力する制御手段を備えたことを特徴とするファクシミリ通信システム。
【請求項５】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備えるページ記述言語機能を、その端末毎に登録したページ記述言語機能情報テーブルを記憶したページ記述言語機能情報テーブル記憶手段と、
着信検出時、上記ページ記述言語機能情報テーブル記憶手段に記憶されたページ記述言語の全てを、自端末が備えるファクシミリ伝送機能として相手端末に通知するファクシミリ伝送制御手段と、
そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に対して、ローカルエリアネットワークを介し、その画情報を転送する一方、その画情報を受信した他の端末は、受信した画情報を、対応するページ記述言語機能のデータとして処理し、対応する画像を記録出力する制御手段を備えたことを特徴とするファクシミリ通信システム。
【請求項６】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備えるページ記述言語機能を、その端末毎に登録したページ記述言語機能情報テーブルを記憶したページ記述言語機能情報テーブル記憶手段と、
着信検出時、上記ページ記述言語機能情報テーブル記憶手段に記憶されたページ記述言語の全てを、自端末が備えるファクシミリ伝送機能として相手端末に通知するファクシミリ伝送制御手段と、
そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に対して、ローカルエリアネットワークを介し、その画情報を転送する一方、その画情報を受信した他の端末は、受信した画情報を、対応するページ記述言語機能のデータとして処理し、その処理結果を画情報の転送元の端末に、ローカルエリアネットワークを介して通知する制御手段を備えたことを特徴とするファクシミリ通信システム。
【請求項７】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備えるファクシミリ伝送機能を、その端末毎に登録した端末機能情報テーブルを記憶した端末機能情報テーブル記憶手段と、
着信検出時、上記端末機能情報テーブル記憶手段に記憶されたファクシミリ伝送機能の全てを、自端末が備えるファクシミリ伝送機能として相手端末に通知するファクシミリ伝送制御手段と、
そのときに受信した画情報を処理可能なファクシミリ伝送機能が自端末に備えられていない場合には、上記端末機能情報テーブルを参照してその画情報を処理可能なファクシミリ伝送機能を備えている他の端末を探し、その探し出した他の端末に対して、ローカルエリアネットワークを介し、その画情報を転送する一方、
上記他の端末がその画情報を処理可能なファクシミリ伝送機能を適用処理した結果を受信する制御手段を備えたことを特徴とするファクシミリ装置。
【請求項８】
前記ファクシミリ伝送機能は、少なくとも、画情報の解像度、または、画情報の符号化方式を含むことを特徴とする請求項７記載のファクシミリ装置。
【請求項９】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備える画像符号化機能を、その端末毎に登録した符号化機能情報テーブルを記憶した符号化機能情報テーブル記憶手段と、
上記ローカルエリアネットワークに接続された各端末が備える画像記録解像度を、その端末毎に登録した解像度情報テーブルを記憶した解像度情報テーブル記憶手段と、
着信検出時、上記符号化機能情報テーブル記憶手段に記憶された画像符号化機能の全て、および、上記解像度情報テーブル記憶手段に記憶された解像度の全てを、自端末が備えるファクシミリ伝送機能として相手端末に通知するファクシミリ伝送制御手段と、
そのときに受信した画情報の画像符号化機能および解像度が自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送するとともに、
受信した画情報に対応する画像符号化機能を適用することにより他の端末が元の画像データに復号化した画像データを、
受信する一方、
上記解像度情報テーブル記憶手段に記憶した解像度情報テーブルを参照して、その復号化された画像データと同じ画像記録解像度を備えた他の端末を探し、その探し出した他の端末に対して、ローカルエリアネットワークを介し、その画像データを転送する制御手段を備えたことを特徴とするファクシミリ装置。
【請求項１０】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備える画像符号化機能を、その端末毎に登録した符号化機能情報テーブルを記憶した符号化機能情報テーブル記憶手段と、
上記ローカルエリアネットワークに接続された各端末が備える画像記録サイズを、その端末毎に登録した記録サイズ機能情報テーブルを記憶した記録サイズ機能情報テーブル記憶手段と、
着信検出時、上記符号化機能情報テーブル記憶手段に記憶された画像符号化機能の全て、および、上記記録サイズ機能情報テーブル記憶手段に記憶された画像記録サイズの全てを、自端末が備えるファクシミリ伝送機能として相手端末に通知するファクシミリ伝送制御手段と、
そのときに受信した画情報の画像符号化機能および画像記録サイズが自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送するとともに、
その画情報を受信した、受信した画情報に対応する画像符号化機能を適用して、上記他の端末が元の画像データに復号化した画像データを、
受信し、
上記記録サイズ機能情報テーブル記憶手段に記憶した記録サイズ機能情報テーブルを参照して、その画像データと同じ画像記録サイズを備えた他の端末を探し、その探し出した他の端末に対して、ローカルエリアネットワークを介し、その画像データを転送する制御手段を備えたことを特徴とするファクシミリ装置。
【請求項１１】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備えるページ記述言語機能を、その端末毎に登録したページ記述言語機能情報テーブルを記憶したページ記述言語機能情報テーブル記憶手段と、
着信検出時、上記ページ記述言語機能情報テーブル記憶手段に記憶されたページ記述言語の全てを、自端末が備えるファクシミリ伝送機能として相手端末に通知するファクシミリ伝送制御手段と、
そのときに受信した画情報のページ記述言語が自端末で処理可能でない場合には、上記ページ記述言語機能情報テーブルを参照してその画情報と同じページ記述言語機能を備えた他の端末を探し、
その探し出した他の端末に受信した画情報を対応するページ記述機能のデータとして処理させるとともに、対応する画像を記録出力させるために、
上記他の端末に対して、ローカルエリアネットワークを介し、その画情報を転送する制御手段を備えたことを特徴とするファクシミリ装置。
【請求項１２】
ローカルエリアネットワークに接続して、ローカルエリアネットワークに接続された端末間でデータをやりとりするためのローカルエリアネットワーク通信制御手段と、
公衆網を介して、相手端末との間で所定のファクシミリ伝送手順に従って画情報をやりとりするための公衆網通信制御手段と、
上記ローカルエリアネットワークに接続された各端末が備えるページ記述言語機能を、その端末毎に登録したページ記述言語機能情報テーブルを記憶したページ記述言語機能情報テーブル記憶手段と、
着信検出時、上記ページ記述言語機能情報テーブル記憶手段に記憶されたページ記述言語の全てを、自端末が備えるファクシミリ伝送機能として相手端末に通知するファクシミリ伝送制御手段と、
そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に対して、ローカルエリアネットワークを介し、その画情報を転送する一方、
上記他の端末がその画情報に対応するページ記述機能のデータとして処理した結果を、
受信する制御手段を備えたことを特徴とするファクシミリ装置。
【発明の詳細な説明】
【０００１】
【発明の属する技術分野】
本発明は、ローカルエリアネットワークに接続してローカルエリアネットワークに接続された他の端末との間でデータ伝送する機能と、公衆網を介して他のファクシミリ装置との間でデータ伝送する機能を備えたファクシミリ通信システム、および、ファクシミリ装置に関する。
【０００２】
【従来の技術】
近年、ローカルエリアネットワークに接続してローカルエリアネットワークに接続された他の端末との間でデータ伝送する機能と、公衆網を介して他のファクシミリ装置との間でデータ伝送する機能を備えたファクシミリ装置が実用されている。
【０００３】
【発明が解決しようとする課題】
ところで、ローカルエリアネットワークには種々の処理機能を備えた端末が接続され、それらの端末の中には、画像データを処理する画像処理機能を備えたものがある。
【０００４】
そこで、このような動作環境にあるファクシミリ装置では、ローカルエリアネットワークに接続されている他の端末の画像処理機能を利用する要求が生じている。
【０００５】
本発明は、かかる実情に鑑みてなされたものであり、ローカルエリアネットワークに接続されている他の端末機能を有効に利用できるファクシミリ通信システムおよびファクシミリ装置を提供することを目的としている。
【０００６】
【課題を解決するための手段】
本発明は、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備えるファクシミリ伝送機能を、その端末毎に登録した端末機能情報テーブルを記憶した端末機能情報テーブル記憶手段と、着信検出時、上記端末機能情報テーブル記憶手段に記憶されたファクシミリ伝送機能の全てを、自端末が備えるファクシミリ伝送機能として相手端末に通知するファクシミリ伝送制御手段と、そのときに受信した画情報を処理可能なファクシミリ伝送機能が自端末に備えられていない場合には、上記端末機能情報テーブルを参照してその画情報を処理可能なファクシミリ伝送機能を備えている他の端末を探し、その探し出した他の端末に対して、ローカルエリアネットワークを介し、その画情報を転送する一方、その画情報を受信した他の端末は、受信した画情報について、その画情報を処理可能なファクシミリ伝送機能を適用処理し、その処理結果を画情報の転送元の端末に、ローカルエリアネットワークを介して通知する制御手段を備えたファクシミリ通信システムである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備える画像符号化機能を、その端末毎に登録した符号化機能情報テーブルを記憶した符号化機能情報テーブル記憶手段と、上記ローカルエリアネットワークに接続された各端末が備える画像記録解像度を、その端末毎に登録した解像度情報テーブルを記憶した解像度情報テーブル記憶手段と、着信検出時、上記符号化機能情報テーブル記憶手段に記憶された画像符号化機能の全て、および、上記解像度情報テーブル記憶手段に記憶された解像度の全てを、自端末が備えるファクシミリ伝送機能として相手端末に通知するファクシミリ伝送制御手段と、そのときに受信した画情報の画像符号化機能および解像度が自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送し、その画情報を受信した他の端末は、受信した画情報を、対応する画像符号化機能を適用して元の画像データに復号化し、その画像データを転送元の端末に返送する一方、その画像データを受信した端末は、上記解像度情報テーブル記憶手段に記憶した解像度情報テーブルを参照して、その画像データと同じ画像記録解像度を備えた他の端末を探し、その探し出した他の端末に対して、ローカルエリアネットワークを介し、その画像データを転送する一方、その画像データを受信した他の端末は、受信した画像データを、対応する解像度の画像として記録出力する制御手段を備えたファクシミリ通信システムである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備える画像符号化機能を、その端末毎に登録した符号化機能情報テーブルを記憶した符号化機能情報テーブル記憶手段と、上記ローカルエリアネットワークに接続された各端末が備える画像記録サイズを、その端末毎に登録した記録サイズ機能情報テーブルを記憶した記録サイズ機能情報テーブル記憶手段と、着信検出時、上記符号化機能情報テーブル記憶手段に記憶された画像符号化機能の全て、および、上記記録サイズ機能情報テーブル記憶手段に記憶された画像記録サイズの全てを、自端末が備えるファクシミリ伝送機能として相手端末に通知するファクシミリ伝送制御手段と、そのときに受信した画情報の画像符号化機能および画像記録サイズが自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送し、その画情報を受信した他の端末は、受信した画情報を、対応する画像符号化機能を適用して元の画像データに復号化し、その画像データを転送元の端末に返送する一方、その画像データを受信した端末は、上記記録サイズ機能情報テーブル記憶手段に記憶した記録サイズ機能情報テーブルを参照して、その画像データと同じ画像記録サイズを備えた他の端末を探し、その探し出した他の端末に対して、ローカルエリアネットワークを介し、その画像データを転送する一方、その画像データを受信した他の端末は、受信した画像データを、対応する記録サイズの画像として記録出力する制御手段を備えたファクシミリ通信システムである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備えるページ記述言語機能を、その端末毎に登録したページ記述言語機能情報テーブルを記憶したページ記述言語機能情報テーブル記憶手段と、着信検出時、上記ページ記述言語機能情報テーブル記憶手段に記憶されたページ記述言語の全てを、自端末が備えるファクシミリ伝送機能として相手端末に通知するファクシミリ伝送制御手段と、そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に対して、ローカルエリアネットワークを介し、その画情報を転送する一方、その画情報を受信した他の端末は、受信した画情報を、対応するページ記述言語機能のデータとして処理し、対応する画像を記録出力する制御手段を備えたファクシミリ通信システムである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備えるページ記述言語機能を、その端末毎に登録したページ記述言語機能情報テーブルを記憶したページ記述言語機能情報テーブル記憶手段と、着信検出時、上記ページ記述言語機能情報テーブル記憶手段に記憶されたページ記述言語の全てを、自端末が備えるファクシミリ伝送機能として相手端末に通知するファクシミリ伝送制御手段と、そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に対して、ローカルエリアネットワークを介し、その画情報を転送する一方、その画情報を受信した他の端末は、受信した画情報を、対応するページ記述言語機能のデータとして処理し、その処理結果を画情報の転送元の端末に、ローカルエリアネットワークを介して通知する制御手段を備えたファクシミリ通信システムである。
【０００７】
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備えるファクシミリ伝送機能を、その端末毎に登録した端末機能情報テーブルを記憶した端末機能情報テーブル記憶手段と、着信検出時、上記端末機能情報テーブル記憶手段に記憶されたファクシミリ伝送機能の全てを、自端末が備えるファクシミリ伝送機能として相手端末に通知するファクシミリ伝送制御手段と、そのときに受信した画情報を処理可能なファクシミリ伝送機能が自端末に備えられていない場合には、上記端末機能情報テーブルを参照してその画情報を処理可能なファクシミリ伝送機能を備えている他の端末を探し、その探し出した他の端末に対して、ローカルエリアネットワークを介し、その画情報を転送する一方、上記他の端末がその画情報を処理可能なファクシミリ伝送機能を適用処理した結果を受信する制御手段を備えたものである。また、前記ファクシミリ伝送機能は、少なくとも、画情報の解像度、または、画情報の符号化方式を含むものである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備える画像符号化機能を、その端末毎に登録した符号化機能情報テーブルを記憶した符号化機能情報テーブル記憶手段と、上記ローカルエリアネットワークに接続された各端末が備える画像記録解像度を、その端末毎に登録した解像度情報テーブルを記憶した解像度情報テーブル記憶手段と、着信検出時、上記符号化機能情報テーブル記憶手段に記憶された画像符号化機能の全て、および、上記解像度情報テーブル記憶手段に記憶された解像度の全てを、自端末が備えるファクシミリ伝送機能として相手端末に通知するファクシミリ伝送制御手段と、そのときに受信した画情報の画像符号化機能および解像度が自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送するとともに、受信した画情報に対応する画像符号化機能を適用することにより他の端末が元の画像データに復号化した画像データを受信する一方、上記解像度情報テーブル記憶手段に記憶した解像度情報テーブルを参照して、その復号化された画像データと同じ画像記録解像度を備えた他の端末を探し、その探し出した他の端末に対して、ローカルエリアネットワークを介し、その画像データを転送する制御手段を備えたものである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備える画像符号化機能を、その端末毎に登録した符号化機能情報テーブルを記憶した符号化機能情報テーブル記憶手段と、上記ローカルエリアネットワークに接続された各端末が備える画像記録サイズを、その端末毎に登録した記録サイズ機能情報テーブルを記憶した記録サイズ機能情報テーブル記憶手段と、着信検出時、上記符号化機能情報テーブル記憶手段に記憶された画像符号化機能の全て、および、上記記録サイズ機能情報テーブル記憶手段に記憶された画像記録サイズの全てを、自端末が備えるファクシミリ伝送機能として相手端末に通知するファクシミリ伝送制御手段と、そのときに受信した画情報の画像符号化機能および画像記録サイズが自端末で処理可能でない場合には、上記符号化機能情報テーブルを参照してその画像符号化機能と同じ画像符号化機能を備えた他の端末を探し、その探し出した他の端末に対して、ローカルエリアネットワークを介し、受信した画情報を転送するとともに、その画情報を受信した、受信した画情報に対応する画像符号化機能を適用して、上記他の端末が元の画像データに復号化した画像データを受信し、上記記録サイズ機能情報テーブル記憶手段に記憶した記録サイズ機能情報テーブルを参照して、その画像データと同じ画像記録サイズを備えた他の端末を探し、その探し出した他の端末に対して、ローカルエリアネットワークを介し、その画像データを転送する制御手段を備えたものである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備えるページ記述言語機能を、その端末毎に登録したページ記述言語機能情報テーブルを記憶したページ記述言語機能情報テーブル記憶手段と、着信検出時、上記ページ記述言語機能情報テーブル記憶手段に記憶されたページ記述言語の全てを、自端末が備えるファクシミリ伝送機能として相手端末に通知するファクシミリ伝送制御手段と、そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に受信した画情報を対応するページ記述機能のデータとして処理させるとともに、対応する画像を記録出力させるために、上記他の端末に対して、ローカルエリアネットワークを介し、その画情報を転送する制御手段を備えたものである。
また、ローカルエリアネットワークに接続して、ローカルエリアネットワークに接続された端末間でデータをやりとりするためのローカルエリアネットワーク通信制御手段と、公衆網を介して、相手端末との間で所定のファクシミリ伝送手順に従って画情報をやりとりするための公衆網通信制御手段と、上記ローカルエリアネットワークに接続された各端末が備えるページ記述言語機能を、その端末毎に登録したページ記述言語機能情報テーブルを記憶したページ記述言語機能情報テーブル記憶手段と、着信検出時、上記ページ記述言語機能情報テーブル記憶手段に記憶されたページ記述言語の全てを、自端末が備えるファクシミリ伝送機能として相手端末に通知するファクシミリ伝送制御手段と、そのときに受信した画情報のページ記述言語が自端末で処理可能でない場合には、上記ページ記述言語機能情報テーブルを参照してその画情報と同じページ記述言語機能を備えた他の端末を探し、その探し出した他の端末に対して、ローカルエリアネットワークを介し、その画情報を転送する一方、上記他の端末がその画情報に対応するページ記述機能のデータとして処理した結果を受信する制御手段を備えたものである。
【００１４】
【発明の実施の形態】
以下、添付図面を参照しながら、本発明の実施の形態を詳細に説明する。
【００１５】
図１は、本発明の一実施例にかかる通信システムを示している。
【００１６】
この通信システムは、ローカルエリアネットワークＬＡＮを中心としたシステム構成をなし、複数のデータ端末装置ＴＥ１〜ＴＥｎ、２つのファクシミリ装置ＦＸ１，ＦＸ２、および、１つのプリンタＰＴが、このローカルエリアネットワークＬＡＮに接続されており、これらのデータ端末装置ＴＥ１〜ＴＥｎ、ファクシミリ装置ＦＸ１，ＦＸ２、および、プリンタＰＴにおける端末相互間のデータのやり取りは、ローカルエリアネットワークＬＡＮを介してなされる。
【００１７】
また、このローカルエリアネットワークＬＡＮを介して行われるデータのやり取りは、適宜なデータ通信プロトコルが適用して行われる。
【００１８】
例えば、電子メールアプリケーションを適用して端末相互間のデータのやり取りを行う場合には、いずれかのデータ端末装置ＴＥ１〜ＴＥｎにメールサーバの機能を割り当て、このメールサーバにいったん電子メールを蓄積した後に宛先へと配信する蓄積配信型の伝送形態を適用することができる。
【００１９】
また、端末間でｆｔｐ（ｆｉｌｅ  ｔｒａｎｓｆｅｒ  ｐｒｏｔｏｃｏｌ）を適用して、データ伝送を行うこともできる。
【００２０】
図２は、ファクシミリ装置ＦＸ１，ＦＸ２の構成の一例を示している。
【００２１】
同図において、システム制御部１は、このファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このファクシミリ装置に固有な各種の情報を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２５】
網制御装置１１は、このファクシミリ装置を国際電話回線網ＰＳＴＮに接続するためのものであり、自動発着信機能を備えている。
【００２６】
ローカルエリアネットワークインターフェース回路１２は、このファクシミリ装置をローカルエリアネットワークに接続するためのものであり、ローカルエリアネットワーク伝送制御部１３は、ローカルエリアネットワークを介して、他のデータ端末装置との間で種々のデータをやりとりするための所定の通信制御処理を実行するためのものである。
【００２７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２８】
また、網制御装置１１とグループ３ファクシミリモデム１０との間のデータのやりとりは、直接行なわれている。
【００２９】
図３は、プリンタＰＴの構成の一例を示している。
【００３０】
同図において、システム制御部２１は、このプリンタ装置の各部の制御処理、および、記録制御処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このファクシミリ装置に固有な各種の情報を記憶するためのものであり、時計回路２４は、現在時刻情報を出力するものである。
【００３１】
操作表示部７は、このファクシミリ装置を操作するためのもので、各種の操作キー、および、各種の表示器からなる。
【００３２】
プリンタエンジン部２６は、例えば、レーザービームプリンタの機構部およびその機構部の制御ユニットからなり、バッファメモリ２７は、記録画像の画像データを蓄積するためのものであり、ＰＤＬ（ページ記述言語）インタプリタ２８は、所定のページ記述言語（例えば、アドビ社のＰｏｓｔＳｒｃｐｉｔ言語やヒューレットパッカード社のＰＣＬ言語）を処理して、記録画像の画像データを生成するためのものであり、フォントメモリ２９は、文字コードに対応した図形文字を表示するためのフォントデータを記憶するためのものである。
【００３３】
ローカルエリアネットワークインターフェース回路３０は、このプリンタ装置をローカルエリアネットワークに接続するためのものであり、ローカルエリアネットワーク伝送制御部３１は、ローカルエリアネットワークを介して、他のデータ端末装置との間で種々のデータをやりとりするための所定の通信制御処理を実行するためのものである。
【００３４】
これらの、システム制御部２１、システムメモリ２２、パラメータメモリ２３、時計回路２４、操作表示部２５、プリンタエンジン部２６、バッファメモリ２７、ＰＤＬインタプリタ２８、フォントメモリ２９、および、ローカルエリアネットワーク伝送制御部３１は、内部バス３２に接続されており、これらの各要素間でのデータのやりとりは主としてこの内部バス３２を介して行われている。
【００３５】
さて、ファクシミリ装置ＦＸ１，ＦＸ２は、同一のローカルエリアネットワークＬＡＮに接続されている端末装置が備えている機能のうち、ファクシミリ装置機能にかかわる機能、例えば、画像データの符号化機能（ＰＤＬを含む）、処理可能な画像の解像度、印字可能な用紙のサイズなどを、それぞれの端末毎に記憶するための端末機能テーブルを備えており、その端末機能テーブルの一例を図４に示す。
【００３６】
この端末機能テーブルの１つの要素は、端末の名称、ローカルエリアネットワークＬＡＮにおけるネットワークアドレス、符号化能力、解像度、および、用紙サイズからなる。
【００３７】
この場合、名称ＦＸ１の端末（すなわち、ファクシミリ装置ＦＸ１）は、ネットワークアドレスが「ＡＤ１」であり、符号化能力として「ＭＨ，ＭＲ，ＭＭＲ」を備え、解像度は「２００（ｄｐｉ）」で、使用できる用紙サイズは「Ａ４，Ｂ４」である。
【００３８】
また、名称ＦＸ２の端末（すなわち、ファクシミリ装置ＦＸ２）は、ネットワークアドレスが「ＡＤ２」であり、符号化能力として「ＭＨ，ＭＲ，ＭＭＲ，ＪＢＩＧ」を備え、解像度は「２００（ｄｐｉ）」で、使用できる用紙サイズは「Ａ４，Ｂ４」である。
【００３９】
また、名称ＰＴの端末（すなわち、プリンタＰＴ）は、ネットワークアドレスが「ＡＤ２」であり、符号化能力として「ＰＤＬ（ＰＳ；ＰｏｓｔＳｃｒｉｐｔ）」を備え、解像度は「４００（ｄｐｉ）」で、使用できる用紙サイズは「Ａ４，Ａ３」である。
【００４０】
また、ローカルエリアネットワークＬＡＮを介してデータをやりとりする際、図５に示したような信号形式の伝送データを用いる。ここで、コマンドは、後に続くデータを処理する方法などを指定するためのものである。例えば、相手端末に画情報の復号化と記録出力を依頼する「復号化依頼」、相手端末に画情報の復号化と復号化の結果得られた画像データの返送を依頼する「返送要求付き復号化依頼」、相手端末に画像の記録出力を依頼する「記録依頼」、相手端末に画像データを返送することをあらわす「返送」、相手端末に種々の状態を通知するための「通知」などがある。
【００４１】
以上の構成で、ファクシミリ装置ＦＸ１，ＦＸ２は、画情報受信時において、自端末に備えられている伝送機能を相手端末に通知する際、端末機能テーブルに登録されている全ての種類の伝送機能を、自端末の伝送機能として通知する。
【００４２】
例えば、図４の端末機能テーブルを用いる場合には、符号化能力として「ＭＨ，ＭＲ，ＭＭＲ，ＪＢＩＧ，ＰＤＬ（ＰＳ）」、解像度能力として「２００，４００（ｄｐｉ）」、用紙サイズとして「Ａ４，Ｂ４，Ａ３」を相手端末に通知する。
【００４３】
そして、相手端末より受信した画情報の符号化方式、解像度、用紙サイズが、自端末で処理できない場合には、それぞれその対応する機能を備えた端末に対して、その伝送機能を処理するように依頼し、その処理後の画像データを自端末に返送させるか、あるいは、依頼先で記録出力させる。
【００４４】
例えば、ファクシミリ装置ＦＸ１が受信した画情報がＪＢＩＧ方式の場合、ファクシミリ装置ＦＸ１は、ファクシミリ装置ＦＸ２に対して、「返送要求付き復号化依頼」をコマンドにセットするとともに、データには画情報をセットした伝送データを送信する。
【００４５】
ファクシミリ装置ＦＸ２は、この「返送要求付き復号化依頼」の伝送データを受信すると、その伝送データに含まれるデータについて、符号化復号化部８により、ＪＢＩＧ方式の復号化処理を適用して画像データを得る。次いで、ファクシミリ装置ＦＸ１に対して、「返送」をコマンドにセットするとともにデータには画像データをセットした伝送データを送信する。
【００４６】
このようにして、ファクシミリ装置ＦＸ１は、ファクシミリ装置ＦＸ２より復号化された画像データを受信すると、その画像データの画像をプロッタ６より記録出力する。
【００４７】
また、このとき、ファクシミリ装置ＦＸ１が画像データの返送を要求しない場合には、ファクシミリ装置ＦＸ２に対して、「復号化依頼」をコマンドにセットするとともに、データには画情報をセットした伝送データを送信する。
【００４８】
ファクシミリ装置ＦＸ２は、この「返送要求付き復号化依頼」の伝送データを受信すると、その伝送データに含まれるデータについて、符号化復号化部８により、ＪＢＩＧ方式の復号化処理を適用して画像データを得る。そして、その画像データの画像をプロッタ６より記録出力する。また、その記録出力の結果を通知するための伝送データ、すなわち、コマンドに「通知」がセットされ、データに例えば「記録完了」をセットした伝送データをファクシミリ装置ＦＸ１に対して送信する。
【００４９】
この「通知」の伝送データを受信したファクシミリ装置ＦＸ１は、その内容を操作表示部７に表示するか、あるいは、その内容を通知するレポートを形成し、プロッタ６よりそのレポートを記録出力する。
【００５０】
また、ファクシミリ装置ＦＸ１がＰＤＬ言語で記述された画像データを受信した場合、ファクシミリ装置ＦＸ１は、プリンタＰＴに対して、「復号化依頼」をコマンドにセットするとともに、データには受信した画像データをセットした伝送データを送信する。
【００５１】
プリンタＰＴは、この「復号化依頼」の伝送データを受信すると、その伝送データに含まれるデータ（画像データ）をＰＤＬインタプリタ２８で処理して記録画像データを形成し、その記録画像データの画像をプリンタエンジン部２６より記録出力する。また、その記録出力の結果を通知するための伝送データ、すなわち、コマンドに「通知」がセットされ、データに例えば「記録完了」をセットした伝送データをファクシミリ装置ＦＸ１に対して送信する。
【００５２】
この「通知」の伝送データを受信したファクシミリ装置ＦＸ１は、その内容を操作表示部７に表示するか、あるいは、その内容を通知するレポートを形成し、プロッタ６よりそのレポートを記録出力する。
【００５３】
また、ファクシミリ装置ＦＸ１が受信した画情報の用紙サイズが「Ａ３」の場合には、ファクシミリ装置ＦＸ１は、受信画情報を元の画像データに復号化し、プリンタＰＴに対し、「記録依頼」をコマンドにセットするとともにデータには画像データをセットした伝送データを送信する。
【００５４】
プリンタＰＴは、この「記録依頼」の伝送データを受信すると、受信した画像データをプリンタエンジン部２６で記録出力できるように解像度等を変換した記録画像データを形成し、その記録画像データの画像をプリンタエンジン部２６より記録出力する。また、その記録出力の結果を通知するための伝送データをファクシミリ装置ＦＸ１に対して送信する。
【００５５】
また、ファクシミリ装置ＦＸ１が受信した画情報の符号化方式がＪＢＩＧ方式で、用紙サイズがＡ３の場合には、ファクシミリ装置ＦＸ１は、上述と同様にして「返送要求付き復号化依頼」伝送データをファクシミリ装置ＦＸ２に送信し、ファクシミリ装置ＦＸ２により画像データを形成させて、その画像データを返送させる。
【００５６】
次いで、ファクシミリ装置ＦＸ１は、上述と同様にして「記録要求」伝送データをプリンタＰＴに対して送信する。これにより、送信側のユーザが意図した欠落のない受信画情報の画像が、プリンタＰＴから記録出力される。
【００５７】
このようにして、本実施例では、ファクシミリ装置ＦＸ１が備えていない伝送機能であっても、同一のローカルエリアネットワークＬＡＮに接続されている端末装置が備えている伝送機能を用いて、画情報受信を行うことができるので、１つのファクシミリ装置に多様な伝送機能を装備させる必要がなく、非常に便利である。
【００５８】
この場合の画情報受信時のファクシミリ装置ＦＸ１，ＦＸ２の処理例を図６および図７（ａ），（ｂ）に示す。
【００５９】
着信検出すると、着信応答し（処理１０１）、自端末が非電話端末であることをあらわす被呼端末識別信号ＣＥＤ、自端末が備えている非標準的な伝送機能を通知するための非標準機能識別信号ＮＳＦ、および、自端末が備えている標準的な伝送機能を通知するためのデジタル識別信号ＤＩＳを送出し（処理１０２）、相手端末より命令信号を受信する（処理１０３）。ここで、処理１０２で通知する伝送機能の内容は、上述したように、端末機能テーブルに含まれる全ての伝送機能である。
【００６０】
次いで、受信した命令信号により指定されたモデム速度のモデムトレーニング手順を実行して、そのときに使用するモデム速度を決定し（処理１０４）、所定の画情報受信手順を実行して１ページ分の画情報を受信し、画像蓄積装置９に保存する（処理１０５）。次の受信ページがある場合には（判断１０６の結果がＹＥＳ）、処理１０５に戻って後続ページの受信を行い、次の受信ページがない場合には（判断１０６の結果がＮＯ）、所定の伝送後手順を実行し（処理１０７）、回線を復旧する（処理１０８）。
【００６１】
このようにして、画情報の受信を終了すると、そのときに受信した画情報の符号化方式が自端末の符号化復号化部８で処理できるかどうかを調べ（判断１０９）、判断１０９の結果がＹＥＳになるときには、符号化復号化部８により受信画情報を復号化して、画像データを形成する（処理１１０）。
【００６２】
次いで、画像データの解像度が自端末の装置能力に一致するかどうかを調べ（判断１１１）、判断１１１の結果がＹＥＳになるときには、画像データの記録用紙サイズが自端末の装置能力に一致するかどうかを調べ（判断１１２）、判断１１２の結果がＹＥＳになるときには、形成した画像データをプロッタ６に転送し、受信原稿を記録出力する（処理１１３）。
【００６３】
また、画像データの解像度が自端末の装置能力に一致しない場合で、判断１１１の結果がＮＯになるとき、あるいは、画像データの記録用紙サイズが自端末の装置能力に一致しない場合で判断１１２の結果がＮＯになるときには、画像データの記録依頼先の端末を、端末機能テーブルを参照して選択し（処理１１４）、その選択した端末に対して、コマンドに「記録依頼」をセットし、データにその画像データをセットした「記録依頼」伝送データを送信する（処理１１５）。
【００６４】
また、受信した画情報の符号化方式が自端末の符号化復号化部８で処理できない場合で判断１０９の結果がＮＯになるときには、画情報の復号化依頼先の端末を、端末機能テーブルを参照して選択する（処理１１６）。
【００６５】
このとき、ユーザにより、受信画像を必ず自端末で記録出力するように設定がされている場合で変そう要求をするかどうかを調べ（判断１１７）、判断１１７の結果がＹＥＳになるときには、コマンドに「返送要求付き復号化依頼」をセットし、データにその受信画情報データをセットした「返送要求付き復号化依頼」伝送データを送信する（処理１１８）。
【００６６】
また、判断１１７の結果がＮＯになるときには、コマンドに「復号化依頼」をセットし、データにその受信画情報データをセットした「復号化依頼」伝送データを送信する（処理１１９）。
【００６７】
また、ローカルエリアネットワークＬＡＮを介して伝送データを受信した場合のファクシミリ装置ＦＸ１，ＦＸ２およびプリンタＰＴの処理の一例を図８および図９に示す。
【００６８】
まず、所定のファイル受信開始手順を実行して自端末が宛先の伝送データを受信し（処理２０１）、そのコマンドの内容が「復号化依頼」であるか（「返送要求付き復号化依頼」を含む）、「記録依頼」であるか、「返送」であるか、「通知」であるか、それ以外であるかを調べる（判断２０２，２０３，２０４，２０５）。いずれでもない場合で判断２０５の結果がＮＯになるときには、そのコマンドを処理するための所定の処理を実行して（処理２０６）、この処理を終了する。
【００６９】
また、「復号化依頼」または「返送要求付き復号化依頼」を受信した場合で、判断２０２の結果がＹＥＳになるときには、受信データを保存し（処理２０７）、その受信データの符号化方式を判定する（処理２０８）。この判定方法は、例えば、符号データの先頭に符号化方式を表示する情報が付加されている場合には、その付加情報の内容を調べることで判定することができる。また、受信データに符号化方式をあらわす情報が付加されている場合には、その付加情報の内容を調べることで判定することができる。
【００７０】
次いで、その判定した符号化方式を適用して、受信データを復号化する（処理２０９）。なお、この復号化処理には、ＰＤＬインタプリタ２８による画像データの形成処理を含む。
【００７１】
ここで、このときに返送要求付きであるかどうかを調べ（判断２１０）、判断２１０の結果がＹＥＳになるときには、復号化して得た画像データを送信元に返送するための符号化データ返送処理を実行し（処理２１１）、この処理を終了する。
【００７２】
また、判断２１０の結果がＮＯになるときには、そのときの画像データの解像度が、自端末の記録解像度に一致するかどうかを調べ（判断２１２）、判断２１２の結果がＮＯになるときには、画像データの解像度を自端末の記録解像度に変換する処理を実行する（処理２１３）。
【００７３】
そして、その画像データの画像を記録出力し（処理２１４）、そのときの伝送データの送信元に対して、記録結果を通知する伝送データを送信し（処理２１５）、この処理を終了する。
【００７４】
また、「記録依頼」を受信した場合で、判断２０３の結果がＹＥＳになるときには、受信データを保存し（処理２１６）、受信データの記録画像を記録出力し（処理２１７）、そのときの伝送データの送信元に対して、記録結果を通知する伝送データを送信し（処理２１８）、この処理を終了する。
【００７５】
また、「返送」を受信した場合で、判断２０４の結果がＹＥＳになるときには、受信データを保存し（処理２１９）、その受信した画像データの解像度が自端末の装置能力に一致するかどうかを調べ（判断２２０）、判断２２０の結果がＹＥＳになるときには、その受信した画像データの画像を記録出力する（処理２２１）。
【００７６】
また、画像データの解像度が自端末の装置能力に一致しない場合で、判断２２０の結果がＮＯになるときには、画像データの記録依頼先の端末を、端末機能テーブルを参照して選択し（処理２２２）、その選択した端末に対して、コマンドに「記録依頼」をセットし、データにその画像データをセットした「記録依頼」伝送データを送信する（処理２２３）。
【００７７】
また、「通知」を受信した場合で、判断２０５の結果がＹＥＳになるときには、そのときに受信したデータの内容を操作表示部７に表示して（処理２２４）、この動作を終了する。
【００７８】
なお、上述した実施例では、ローカルエリアネットワークに接続されたファクシミリ装置とプリンタについてのみ本発明を適応した場合について説明したが、他のデータ端末装置がファクシミリ装置機能と同等の機能、例えば、符号化処理機能やその他の画像処理機能などを備えている場合には、そのデータ端末装置が備える処理機能をも、自端末の伝送機能であると通知することができる。その場合には、そのデータ端末装置のみが備える伝送機能については、上述した実施例と同様に、そのデータ端末装置に対して受信した画情報の処理を依頼するようにするとよい。
【００７９】
また、上述した実施例では、ファクシミリ装置がグループ３ファクシミリ装置機能を備えている場合について説明したが、グループ４ファクシミリ装置機能を備えている場合でも、本発明を同様にして適用することができる。また、その場合伝送路としてＩＳＤＮを使用することもできる。
【００８０】
【発明の効果】
以上説明したように、本発明によれば、単体のファクシミリ装置が備えていない伝送機能であっても、同一のローカルエリアネットワークに接続されている端末装置が備えている伝送機能を用いて、画情報受信を行うことができるので、１つのファクシミリ装置に多様な伝送機能を装備させる必要がなく、非常に便利になるという効果を得る。
【図面の簡単な説明】
【図１】本発明の一実施例にかかる通信システムを示したブロック図。
【図２】ファクシミリ装置の構成の一例を示したブロック図。
【図３】プリンタの構成の一例を示したブロック図。
【図４】端末機能テーブルの一例を示した概略図。
【図５】ローカルエリアネットワークを介してやりとりするデータの一例を示した概略図。
【図６】画情報受信時のファクシミリ装置の処理の一例の一部を示したフローチャート。
【図７】画情報受信時のファクシミリ装置の処理の一例の他の部分を示したフローチャート。
【図８】ローカルエリアネットワークを介して伝送データを受信したときのファクシミリ装置の処理の一例の一部を示したフローチャート。
【図９】ローカルエリアネットワークを介して伝送データを受信したときのファクシミリ装置の処理の一例の他の部分を示したフローチャート。
【符号の説明】
ＦＸ１，ＦＸ２  ファクシミリ装置
ＰＴ  プリンタ装置
ＴＥ１〜ＴＥｎ  データ端末装置
ＬＡＮ  ローカルエリアネットワーク
【図１】
0003582624.tif 000002
【図２】
0003582624.tif 000003
【図３】
0003582624.tif 000004
【図４】
0003582624.tif 000005
【図５】
0003582624.tif 000006
【図６】
0003582624.tif 000007
【図７】
0003582624.tif 000008
【図８】
0003582624.tif 000009
【図９】
0003582624.tif 000010